(57)【要約】  【課題】  過電圧から負荷を保護するために遮断ユニットを別個設ける必要ある。  【解決手段】  直流電源装置ＰＳと接続し、この直流電源装置からの電力を複数の負荷Ｌ１〜Ｌｎに分配供給するための複数の出力端子Ａ１，Ｂ１〜Ａｎ，Ｂｎを備えた端子台ユニット１Ａであって、出力端子毎に設け、直流電源装置及び出力端子間の電圧を検出する電圧検出部４３と、出力端子毎に設け、直流電源装置及び出力端子間の接続を切断するスイッチ部４１と、電圧検出部にて検出した現在の電圧値に基づき、電圧情報に関わる通報信号を出力すると共に、スイッチ部の接続切断動作を実行すべく、スイッチ部を制御する制御部３６とを有している。【選択図】  図１
2006246630.tif 000002
【特許請求の範囲】
【請求項１】
電源装置と接続し、この電源装置からの電力を複数の負荷に分配供給するための複数の電源供給端子を備えた端子台ユニットであって、
前記電源供給端子毎に設け、前記電源装置及び電源供給端子間の電圧を検出する電圧検出手段と、
前記電源供給端子毎に設け、前記電源装置及び電源供給端子間の接続を切断するスイッチ手段と、
前記電圧検出手段にて検出した現在の電圧値に基づき、電圧情報に関わる通報信号を出力すると共に、前記スイッチ手段の接続切断動作を実行すべく、前記スイッチ手段を制御する制御手段とを有することを特徴とする端子台ユニット。
【請求項２】
過電圧発生と判断するための第１電圧値及び、前記スイッチ手段の接続切断動作を起動するための第２電圧値を記憶する記憶手段を有し、
前記制御手段は、
前記電圧検出手段にて検出した現在の電圧値が前記第１電圧値を超えたか否かを判定する第１電圧値判定手段と、
前記電圧検出手段にて検出した現在の電圧値が前記第２電圧値を超えたか否かを判定する第２電圧値判定手段と、
前記第１電圧値判定手段にて前記電圧値が前記第１電圧値を超えたと判定されると、過電圧発生に関わる電圧情報の通報信号を出力する通報出力手段と、
前記第２電圧値判定手段にて前記電圧値が前記第２電圧値を超えたと判定されると、前記スイッチ手段の接続切断動作を実行すべく、前記スイッチ手段を制御するスイッチ制御手段とを有することを特徴とする請求項１記載の端子台ユニット。
【請求項３】
前記通報出力手段は、
前記第１電圧値判定手段にて前記電圧値が前記第１電圧値を所定継続時間以上継続して超えたと判定されると、前記過電圧発生に関わる電圧情報の通報信号を出力すると共に、
前記第１電圧値判定手段にて前記電圧値が前記第１電圧値を前記所定継続時間以上継続して超えてないと判定されると、前記通報信号の出力を禁止すると共に、
前記スイッチ制御手段は、
前記第２電圧値判定手段にて前記電圧値が前記第２電圧値を前記所定継続時間以上継続して超えたと判定されると、前記スイッチ手段の接続切断動作を実行すべく、前記スイッチ手段を制御すると共に、
前記第２電圧値判定手段にて前記電圧値が前記第２電圧値を前記所定継続時間以上継続して超えていないと判定されると、前記スイッチ手段の接続切断動作を禁止すべく、前記スイッチ手段を制御することを特徴とする請求項２記載の端子台ユニット。
【請求項４】
前記スイッチ手段の後段に配置され、前記電源装置及び電源供給端子間の接続を切断するサブスイッチ手段と、
前記第２電圧値以上の電圧値に相当する第３電圧値を記憶するサブ記憶手段と、
前記電源装置及び電源供給端子間の現在の電圧値が前記第３電圧値を超えたか否かを判定する第３電圧値判定手段と、
この第３電圧値判定手段にて前記電圧値が前記第３電圧値を超えたと判定されると、前記サブスイッチ手段の接続切断動作を実行すべく、前記サブスイッチ手段を制御するサブ制御手段とを有することを特徴とする請求項２又は３記載の端子台ユニット。
【請求項５】
不足電圧発生と判断するための不足電圧値を記憶する前記記憶手段と、
前記電圧検出手段にて検出した現在の電圧値が前記不足電圧値未満であるか否かを判定する不足電圧値判定手段とを有し、
前記通報出力手段は、
前記不足電圧値判定手段にて前記電圧値が前記不足電圧値未満であると判定されると、不足電圧発生に関わる電圧情報の通報信号を通報出力することを特徴とする請求項２，３又は４記載の端子台ユニット。
【請求項６】
所定の積算稼働時間に相当する第１積算稼働時間を記憶する前記記憶手段と、
現在の積算稼動時間を監視する積算稼働時間監視手段と、
前記積算稼動時間監視手段にて現在の積算稼動時間が前記第１積算稼動時間を超えたか否かを判定する積算稼働時間判定手段とを有し、
前記通報出力手段は、
前記積算稼働時間判定手段にて現在の積算稼働時間が前記第１積算稼働時間を超えたと判定されると、前記積算稼働時間に関わる情報の通報信号を出力することを特徴とする請求項２，３，４又は５記載の端子台ユニット。
【請求項７】
所定の周囲温度に相当する第１周囲温度を記憶する前記記憶手段と、
現在の周囲温度を検出する周囲温度検出手段と、
前記周囲温度検出手段にて現在の周囲温度が前記第１周囲温度を超えたか否かを判定する周囲温度判定手段とを有し、
前記通報出力手段は、
前記周囲温度判定手段にて現在の周囲温度が前記第１周囲温度を超えたと判定されると、前記周囲温度に関わる情報の通報信号を出力することを特徴とする請求項２，３，４，５又は６記載の端子台ユニット。
【請求項８】
前記記憶手段の記憶内容を設定変更する設定変更手段を有することを特徴とする請求項２，３，４，５，６又は７記載の端子台ユニット。
【発明の詳細な説明】
【技術分野】
【０００１】
本発明は、例えば直流電源装置等の電源装置と接続し、この電源装置からの電力を複数の負荷に分配供給するための複数の電源供給端子を備えた端子台ユニットに関する。
【背景技術】
【０００２】
従来の端子台ユニットは、本出願人が「特許文献１」（出力分岐装置）に開示したように、電源装置からの直流電源入力を複数に分岐して複数の負荷に出力するに際して、分岐した出力ラインに対応して出力ラインを遮断する遮断手段を備え、過電圧発生時に出力ラインを遮断できるように構成されている。
【０００３】
これにより、各出力ラインにブレーカを設ける必要がなく、煩雑な接続作業を必要とせず、ブレーカを設置するスペースも必要としないものである。
【特許文献１】特開２００２−２５２９２３号公報
【発明の開示】
【発明が解決しようとする課題】
【０００４】
「特許文献１」に開示された従来の端子台ユニットは、出力ライン毎に遮断手段が動作する過電圧値が設定されているので、負荷に対応した過電流の遮断ユニットを選定して設置しなければならず、多くの遮断ユニットを準備しなければならない課題がある。
【０００５】
また、出力ラインに接続する負荷が変更された場合には、負荷に最適な遮断電圧を有する遮断ユニットに交換しなければならないため、交換する遮断ユニットが無い場合には、負荷を動作させることができなく、生産などに大きな影響を及ぼす課題がある。
【０００６】
本発明は上記点に鑑みてなされたものであり、その目的とするところは、電源供給端子毎に過電圧の発生を迅速に通報出力すると共に、遮断ユニットを別個に設けなくても、電源供給端子毎に直流電源を切断する過電圧値の設定を可能とし、同過電圧発生時に電源供給端子の直流電源を切断することができる端子台ユニットを提供することにある。
【課題を解決するための手段】
【０００７】
上記目的を達成するために本発明の端子台ユニットは、電源装置と接続し、この電源装置からの電力を複数の負荷に分配供給するための複数の電源供給端子を備えた端子台ユニットであって、前記電源供給端子毎に設け、前記電源装置及び電源供給端子間の電圧を検出する電圧検出手段と、前記電源供給端子毎に設け、前記電源装置及び電源供給端子間の接続を切断するスイッチ手段と、前記電圧検出手段にて検出した現在の電圧値に基づき、電圧情報に関わる通報信号を出力すると共に、前記スイッチ手段の接続切断動作を実行すべく、前記スイッチ手段を制御する制御手段とを有するようにした。
【０００８】
従って、本発明の端子台ユニットによれば、電源供給端子毎に電源装置及び電源供給端子間の電圧を検出し、現在の電圧値に基づき、電圧情報に関わる通報信号を出力すると共に、電源装置及び電源供給端子間のスイッチ手段の接続切断動作を実行するようにしたので、例えば過電圧が発生した場合は過電圧の発生を速やかに通報することができると共に、例えば負荷に過電圧が流れたとしても、自動的に電源装置及び電源供給端子間の接続を切断することで安全性を確保することができる。
【０００９】
本発明の端子台ユニットは、過電圧発生と判断するための第１電圧値及び、前記スイッチ手段の接続切断動作を起動するための第２電圧値を記憶する記憶手段を有し、前記制御手段は、前記電圧検出手段にて検出した現在の電圧値が前記第１電圧値を超えたか否かを判定する第１電圧値判定手段と、前記電圧検出手段にて検出した現在の電圧値が前記第２電圧値を超えたか否かを判定する第２電圧値判定手段と、前記第１電圧値判定手段にて前記電圧値が前記第１電圧値を超えたと判定されると、過電圧発生に関わる電圧情報の通報信号を出力する通報出力手段と、前記第２電圧値判定手段にて前記電圧値が前記第２電圧値を超えたと判定されると、前記スイッチ手段の接続切断動作を実行すべく、前記スイッチ手段を制御するスイッチ制御手段とを有するようにした。
【００１０】
従って、本発明の端子台ユニットによれば、過電圧発生と判断するための第１電圧値及び、スイッチ手段の接続切断動作を起動するための第２電圧値を記憶しておき、現在の電圧値が第１電圧値を超えたと判定されると、過電圧発生に関わる電圧情報の通報信号を出力すると共に、現在の電圧値が第２電圧値を超えたと判定されると、スイッチ手段の接続切断動作を実行するようにしたので、過電圧が発生した場合は過電圧の発生を速やかに通報することができると共に、例えば過電圧に対して、自動的に電源装置及び電源供給端子間の接続を切断することで安全性を確保することができる。
【００１１】
本発明の端子台ユニットは、前記通報出力手段が、前記第１電圧値判定手段にて前記電圧値が前記第１電圧値を所定継続時間以上継続して超えたと判定されると、前記過電圧発生に関わる電圧情報の通報信号を出力すると共に、前記第１電圧値判定手段にて前記電圧値が前記第１電圧値を前記所定継続時間以上継続して超えてないと判定されると、前記通報信号の出力を禁止すると共に、前記スイッチ制御手段は、前記第２電圧値判定手段にて前記電圧値が前記第２電圧値を前記所定継続時間以上継続して超えたと判定されると、前記スイッチ手段の接続切断動作を実行すべく、前記スイッチ手段を制御すると共に、前記第２電圧値判定手段にて前記電圧値が前記第２電圧値を前記所定継続時間以上継続して超えていないと判定されると、前記スイッチ手段の接続切断動作を禁止すべく、前記スイッチ手段を制御するようにした。
【００１２】
従って、本発明の端子台ユニットによれば、現在の電圧値が第１電圧値を所定継続時間以上継続して超えたと判定されると、過電圧発生に関わる電圧情報の通報信号を出力すると共に、現在の電圧値が第１電圧値を所定継続時間以上継続して超えてないと判定されると、通報信号の出力を禁止すると共に、現在の電圧値が第２電圧値を所定継続時間以上継続して超えたと判定されると、スイッチ手段の接続切断動作を実行すると共に、現在の電圧値が第２電圧値を所定継続時間以上継続して超えていないと判定されると、スイッチ手段の接続切断動作を禁止するようにしたので、例えば電圧値が瞬間的に第１電圧値若しくは第２電圧値を超えたことで過電圧と判断してしまうような誤動作を確実に防止することで信頼性を損なうことなく安定した電力供給を確保することができる。
【００１３】
本発明の端子台ユニットは、前記スイッチ手段の後段に配置され、前記電源装置及び電源供給端子間の接続を切断するサブスイッチ手段と、前記第２電圧値以上の電圧値に相当する第３電圧値を記憶するサブ記憶手段と、前記電源装置及び電源供給端子間の現在の電圧値が前記第３電圧値を超えたか否かを判定する第３電圧値判定手段と、この第３電圧値判定手段にて前記電圧値が前記第３電圧値を超えたと判定されると、前記サブスイッチ手段の接続切断動作を実行すべく、前記サブスイッチ手段を制御するサブ制御手段とを有するようにした。
【００１４】
従って、本発明の端子台ユニットによれば、スイッチ手段の後段にサブスイッチ手段を配置し、前記第２電流値以上の電流値に相当する第３電流値を記憶しておき、現在の電流値が第３電流値を超えたと判定されると、前記制御手段とは異なるサブ制御手段が前記サブスイッチ手段の接続切断動作を実行するようにしたので、例えば制御手段が故障してスイッチ手段の接続切断動作が実行されなくても、サブ制御手段側でサブスイッチ手段の接続切断動作を実行することになるため、過電流に対する安全性の向上を図ることができる。
【００１５】
本発明の端子台ユニットは、不足電圧発生と判断するための不足電圧値を記憶する前記記憶手段と、前記電圧検出手段にて検出した現在の電圧値が前記不足電圧値未満であるか否かを判定する不足電圧値判定手段とを有し、前記通報出力手段は、前記不足電圧値判定手段にて前記電圧値が前記不足電圧値未満であると判定されると、不足電圧発生に関わる電圧情報の通報信号を通報出力するようにした。
【００１６】
従って、本発明の端子台ユニットによれば、不足電圧発生と判断するための不足電圧値を記憶しておき、現在の電圧値が不足電圧値未満と判定されると、不足電圧発生に関わる電圧情報の通報信号を通報出力するようにしたので、不足電圧発生を通報することができる。
【００１７】
本発明の端子台ユニットは、所定の積算稼働時間に相当する第１積算稼働時間を記憶する前記記憶手段と、現在の積算稼動時間を監視する積算稼働時間監視手段と、前記積算稼動時間監視手段にて現在の積算稼動時間が前記第１積算稼動時間を超えたか否かを判定する積算稼働時間判定手段とを有し、前記通報出力手段は、前記積算稼働時間判定手段にて現在の積算稼働時間が前記第１積算稼働時間を超えたと判定されると、前記積算稼働時間に関わる情報の通報信号を出力することを特徴とする。
【００１８】
従って、本発明の端子台ユニットによれば、所定の積算稼働時間に相当する第１積算稼働時間を記憶しておき、現在の積算稼働時間が第１積算稼働時間を超えたと判定されると、積算稼働時間に関わる情報、所定の積算稼働時間を経過したことを示す情報の通報信号を出力するようにしたので、所定の積算稼働時間を経過したことを通報することができる。例えば所定の積算稼働時間を端子台ユニットの交換時期とした場合、端子台ユニットの交換時期の到来を速やかに通報することができる。
【００１９】
本発明の端子台ユニットは、所定の周囲温度に相当する第１周囲温度を記憶する前記記憶手段と、現在の周囲温度を検出する周囲温度検出手段と、前記周囲温度検出手段にて現在の周囲温度が前記第１周囲温度を超えたか否かを判定する周囲温度判定手段とを有し、前記通報出力手段は、前記周囲温度判定手段にて現在の周囲温度が前記第１周囲温度を超えたと判定されると、前記周囲温度に関わる情報の通報信号を出力することを特徴とする。
【００２０】
従って、本発明の端子台ユニットによれば、所定の周囲温度に相当する第１周囲温度を記憶しておき、現在の周囲温度が第１周囲温度を超えたと判定されると、周囲温度に関わる情報、例えば第１周囲温度を超えた旨を示す情報の通報信号を出力するようにしたので、端末台ユニットの周囲温度が第１周囲温度を超えたことを迅速に通報することができる。
【００２１】
本発明の端子台ユニットは、前記記憶手段の記憶内容を設定変更する設定変更手段を有するようにした。
【００２２】
従って、本発明の端子台ユニットによれば、設定変更手段を通じて記憶手段の記憶内容、例えば第１電圧値、第２電圧値、不足電圧値、第１積算稼働時間及び第１周囲温度等を設定変更可能にしたので、端子台ユニットのユーザは、設定変更手段を使用して自由な設定が可能となる。
【発明の効果】
【００２３】
上記のように構成された本発明の端子台ユニットによれば、電源供給端子毎に電源装置及び電源供給端子間の電圧を検出し、現在の電圧値に基づき、電圧情報に関わる通報信号を出力すると共に、電源装置及び電源供給端子間のスイッチ手段の接続切断動作を実行するようにしたので、例えば過電圧が発生した場合は過電圧の発生を速やかに通報することができると共に、例えば負荷に過電圧が流れたとしても、自動的に電源装置及び電源供給端子間の接続を切断することで安全性を確保することができる。
【００２４】
本発明の端子台ユニットによれば、過電圧発生と判断するための第１電圧値及び、スイッチ手段の接続切断動作を起動するための第２電圧値を記憶しておき、現在の電圧値が第１電圧値を超えたと判定されると、過電圧発生に関わる電圧情報の通報信号を出力すると共に、現在の電圧値が第２電圧値を超えたと判定されると、スイッチ手段の接続切断動作を実行するようにしたので、過電圧が発生した場合は過電圧の発生を速やかに通報することができると共に、例えば過電圧に対して、自動的に電源装置及び電源供給端子間の接続を切断することで安全性を確保することができる。
【００２５】
本発明の端子台ユニットによれば、現在の電圧値が第１電圧値を所定継続時間以上継続して超えたと判定されると、過電圧発生に関わる電圧情報の通報信号を出力すると共に、現在の電圧値が第１電圧値を所定継続時間以上継続して超えてないと判定されると、通報信号の出力を禁止すると共に、現在の電圧値が第２電圧値を所定継続時間以上継続して超えたと判定されると、スイッチ手段の接続切断動作を実行すると共に、現在の電圧値が第２電圧値を所定継続時間以上継続して超えていないと判定されると、スイッチ手段の接続切断動作を禁止するようにしたので、例えば電圧値が瞬間的に第１電圧値若しくは第２電圧値を超えたことで過電圧と判断してしまうような誤動作を確実に防止することで信頼性を損なうことなく安定した電力供給を確保することができる。
【００２６】
本発明の端子台ユニットによれば、スイッチ手段の後段にサブスイッチ手段を配置し、前記第２電流値以上の電流値に相当する第３電流値を記憶しておき、現在の電流値が第３電流値を超えたと判定されると、前記制御手段とは異なるサブ制御手段が前記サブスイッチ手段の接続切断動作を実行するようにしたので、例えば制御手段が故障してスイッチ手段の接続切断動作が実行されなくても、サブ制御手段側でサブスイッチ手段の接続切断動作を実行することになるため、過電流に対する安全性の向上を図ることができる。
【００２７】
本発明の端子台ユニットによれば、不足電圧発生と判断するための不足電圧値を記憶しておき、現在の電圧値が不足電圧値未満と判定されると、不足電圧発生に関わる電圧情報の通報信号を通報出力するようにしたので、不足電圧発生を通報することができる。
【００２８】
本発明の端子台ユニットによれば、所定の積算稼働時間に相当する第１積算稼働時間を記憶しておき、現在の積算稼働時間が第１積算稼働時間を超えたと判定されると、積算稼働時間に関わる情報、所定の積算稼働時間を経過したことを示す情報の通報信号を出力するようにしたので、所定の積算稼働時間を経過したことを通報することができる。例えば所定の積算稼働時間を端子台ユニットの交換時期とした場合、端子台ユニットの交換時期の到来を速やかに通報することができる。
【００２９】
本発明の端子台ユニットによれば、所定の周囲温度に相当する第１周囲温度を記憶しておき、現在の周囲温度が第１周囲温度を超えたと判定されると、周囲温度に関わる情報、例えば第１周囲温度を超えた旨を示す情報の通報信号を出力するようにしたので、端末台ユニットの周囲温度が第１周囲温度を超えたことを迅速に通報することができる。
【００３０】
本発明の端子台ユニットによれば、設定変更手段を通じて記憶手段の記憶内容、例えば第１電圧値、第２電圧値、不足電圧値、第１積算稼働時間及び第１周囲温度等を設定変更可能にしたので、端子台ユニットのユーザは、設定変更手段を使用して自由な設定が可能となる。
【発明を実施するための最良の形態】
【００３１】
以下、図面に基づき本発明の端子台ユニットの実施の形態を示す電源分配システムについて説明する。
【００３２】
（実施の形態１）
図１は第１の実施の形態を示す電源分配システム内部の概略構成を示すブロック図である。
【００３３】
図１に示す電源分配システム２０は、直流電力を供給する直流電源装置ＰＳと、この直流電源装置ＰＳと接続し、この直流電源装置ＰＳからの直流電力を複数の負荷Ｌ１〜Ｌｎに分配供給する端子台ユニット１Ａとで構成している。
【００３４】
端子台ユニット１Ａは、直流電源装置ＰＳからの直流電力を供給する入力端子Ｉ１、Ｉ２と、この入力端子Ｉ１，Ｉ２を通じて直流電力を各負荷Ｌ（Ｌ１〜Ｌｎ）に分岐出力する複数の出力端子Ａ１、Ｂ１〜Ａｎ，Ｂｎと、この端子台ユニット１Ａ全体を制御する端子台制御回路３０とを有している。尚、説明の便宜上、端子台ユニット１Ａの出力端子Ａ１，Ｂ１〜Ａ３，Ｂ３の３組として説明する。
【００３５】
尚、出力端子Ａ，Ｂ（Ａ１，Ｂ１〜Ａ３，Ｂ３）毎に負荷Ｌ（Ｌ１〜Ｌ３）と接続することで、入力端子Ｉ１，Ｉ２及び出力端子Ａ，Ｂ（Ａ１，Ｂ１〜Ａ３，Ｂ３）間でＣＨブロックＸ（Ｘ１〜Ｘ３）を構成し、例えば入力端子Ｉ１，Ｉ２及び出力端子Ａ１，Ｂ１間でＣＨブロックＸ１を構成し、例えば入力端子Ｉ１，Ｉ２及び出力端子Ａ３，Ｂ３間でＣＨブロックＸ３を構成する。
【００３６】
図２は同端子台ユニット１Ａ内の端子台制御回路３０内部の概略構成を示すブロック図、図３は同端子台ユニット１Ａの外観構成を示すイメージ図である。
【００３７】
図２に示す端子台制御回路３０は、出力端子Ａ，Ｂ（Ａ１，Ｂ１〜Ａ３，Ｂ３）毎のＣＨブロックＸ（Ｘ１〜Ｘ３）と、端子台ユニット１Ａの周囲温度を検出する周囲温度センサ部３１と、各種情報を記憶する記憶部３２と、各種情報を表示する表示部３３と、各種情報を通報出力する通報部３４と、記憶部３２の記憶内容を変更設定する設定部３５と、この端子台制御回路３０全体を制御する制御部３６とを有している。尚、端子台制御回路３０は、複数のＣＨブロックＸ１〜Ｘ３を収容することになるが、説明の便宜上、ＣＨブロックＸ１の構成は他のＣＨブロックＸ２及びＸ３の構成と同一になることから、同一符号を付すことで、その重複する構成及び動作の説明については省略する。
【００３８】
表示部３３は、図３に示すＬＣＤ表示部３３Ａに相当し、後述するＣＨブロック毎の過電流発生、過電圧発生、不足電圧発生、現在電流値や現在電圧値等を表示すると共に、端子台ユニット１Ａの交換時期到来、周囲温度の異常等の各種情報を表示するものである。
【００３９】
通報部３４は、図３に示すスピーカ３４Ａ等に相当し、後述するＣＨブロック毎の過電流発生、過電圧発生及び不足電圧発生等を警報出力すると共に、端子台ユニット１Ａの交換時期到来、周囲温度の異常等の各種情報を警報出力するものである。
【００４０】
設定部３５は、図３に示す操作部３５Ａ及び、ＰＣ用接続コネクタ３５Ｂに接続するＰＣ（図示せず）に相当し、記憶部３２の記憶内容を設定変更可能とするものである。
【００４１】
ＣＨブロックＸ１は、入力端子Ｉ１及び出力端子Ａ１間をプラス側ライン、入力端子Ｉ２及び出力端子Ｂ１間をマイナス側ラインとし、入力端子Ｉ１，Ｉ２及び出力端子Ａ１，Ｂ１間を接続又は切断するスイッチ部４１と、入力端子Ｉ１，Ｉ２及び出力端子Ａ１，Ｂ１間の電流を検出する電流検出部４２と、入力端子Ｉ１，Ｉ２及び出力端子Ａ１，Ｂ１間の電圧を検出する電圧検出部４３とを有している。
【００４２】
スイッチ部４１は、プラス側ライン及びマイナス側ライン両方に、例えばＭＯＳＦＥＴ等のスイッチ素子４１Ａを配置することで構成する。尚、スイッチ部４１は、リレー装置等で構成するようにしても良い。
【００４３】
記憶部３２は、例えば端末台ユニット１Ａの周囲温度の異常を判断するための温度に相当する第１周囲温度と、例えば交換時期を判断するための積算稼働時間に相当する第１積算稼働時間と、入力端子Ｉ１，Ｉ２及び出力端子Ａ１，Ｂ１間の過電流発生の有無を判断するための電流値に相当する第１電流値と、入力端子Ｉ１，Ｉ２及び出力端子Ａ１，Ｂ１間のスイッチ部４１の接続切断動作を起動するための電流値に相当する第２電流値と、入力端子Ｉ１，Ｉ２及び出力端子Ａ１，Ｂ１間の過電圧発生の有無を判断するための電圧値に相当する第１電圧値と、入力端子Ｉ１，Ｉ２及び出力端子Ａ１，Ｂ１間のスイッチ部４１の接続切断動作を起動するための電圧値に相当する第２電圧値と、入力端子Ｉ１，Ｉ２及び出力端子Ａ１，Ｂ１間の不足電圧発生の有無を判断するための電圧値に相当する不足電圧値等とを設定記憶している。尚、第１電流値、第２電流値、第１電圧値及び第２電圧値はＣＨブロックＸ（Ｘ１〜Ｘ３）毎に設定記憶するものである。
【００４４】
端末台ユニット１Ａのユーザは、設定部３５を通じて、記憶部３２に記憶中の第１周囲温度、第１積算稼働時間、第１電流値、第２電流値、第１電圧値、第２電圧値及び不足電圧値等を設定変更可能にしている。
【００４５】
制御部３６は、電流検出部４２にて検出した現在の電流値が記憶部３２に記憶中の第１電流値を超えたか否かを判定する第１電流値判定部５１と、電流検出部４２にて検出した現在の電流値が記憶部３２に記憶中の第２電流値を超えたか否かを判定する第２電流値判定部５２と、電圧検出部４３にて検出した現在の電圧値が記憶部３２に記憶中の第１電圧値を超えたか否かを判定する第１電圧値判定部５３と、電圧検出部４３にて検出した現在の電圧値が記憶部３２に記憶中の第２電圧値を超えたか否かを判定する第２電圧値判定部５４と、電圧検出部４３にて検出した現在の電圧値が記憶部３２に記憶中の不足電圧値未満であるか否かを判定する不足電圧値判定部５５と、周囲温度センサ部３１にて検出した現在の周囲温度が第１周囲温度を超えたか否かを判定する周囲温度判定部５６と、端末台ユニット１Ａの現在の積算稼働時間を計測する稼働時間計測部５７と、稼働時間計測部５７にて計測した現在の積算稼働時間が記憶部３２に記憶中の第１積算稼働時間を経過したか否かを判定する積算稼働時間判定部５８と、スイッチ部４１を駆動制御するスイッチ制御部５９と、通報部３４を駆動制御する通報制御部６０と、表示部３３を表示制御する表示制御部６１とを有している。
【００４６】
通報制御部６０は、第１電流値判定部５１にてＣＨブロックＸ１の現在の電流値が第１電流値を超えたと判定されると、入力端子Ｉ１，Ｉ２及び出力端子Ａ１，Ｂ１間に過電流が発生したものと判断し、過電流発生に関わる通報信号を通報出力すべく、通報部３４を駆動制御するものである。また、同様に、表示制御部６１では、過電流発生を表示出力すべく、表示部３３を表示制御するものである。
【００４７】
また、通報制御部６０は、第１電圧値判定部５３にてＣＨブロックＸ１の現在の電圧値が第１電圧値を超えたと判定されると、入力端子Ｉ１，Ｉ２及び出力端子Ａ１，Ｂ１間に過電圧が発生したものと判断し、過電圧発生に関わる通報信号を通報出力すべく、通報部３４を駆動制御するものである。同様に表示制御部６１は、過電圧発生を表示出力すべく、表示部３３を表示制御するものである。
【００４８】
また、通報制御部６０は、不足電圧値判定部５５にてＣＨブロックＸ１の現在の電圧値が不足電圧値未満であると判定されると、入力端子Ｉ１，Ｉ２及び出力端子Ａ１，Ｂ１間の電圧値が不足電圧である旨の通報信号を通報出力すべく、通報部３４を駆動制御するものである。同様に表示制御部６１は、不足電圧発生を表示出力すべく、表示部３３を表示制御するものである。
【００４９】
また、スイッチ制御部５９は、第２電流値判定部５２にてＣＨブロックＸ１の現在の電流値が第２電流値を超えたと判定されると、入力端子Ｉ１，Ｉ２及び出力端子Ａ１，Ｂ１間の接続を切断するものと判断し、入力端子Ｉ１，Ｉ２及び出力端子Ａ１，Ｂ１間に配置したスイッチ部４１の切断動作を実行すべく、スイッチ部４１を駆動制御すると共に、第２電圧値判定部５４にてＣＨブロックＸ１の現在の電圧値が第２電圧値を超えたと判定されると、入力端子Ｉ１，Ｉ２及び出力端子Ａ１，Ｂ１間を切断するものと判断し、入力端子Ｉ１，Ｉ２及び出力端子Ａ１，Ｂ１間に配置したスイッチ部４１の切断動作を実行すべく、スイッチ部４１を駆動制御するものである。
【００５０】
また、制御部３６は、電流検出部４２にて検出した現在の電流値及び電圧値検出部４３にて検出した現在の電圧値を、表示制御部６１を通じて表示部３３にリアルタイム表示するものである。
【００５１】
尚、端子台ユニット１Ａの交換時期は、端子台ユニット１Ａの負荷率及び周囲温度変化の影響が大である。図４は第１の実施の形態に関わる端子台ユニット１Ａの交換時期の関係を示す説明図、図４（ａ）は寿命期待時間及び周囲温度の関係を示す説明図、図４（ｂ）は寿命期待時間及び負荷率の関係を示す説明図である。
【００５２】
アレニウスの法則から明らかなように、図４（ａ）に示すように、例えば端子台ユニット１Ａの周囲温度が１０℃高くなると、同端子台ユニット１Ａの寿命期待時間は半減、周囲温度が１０℃低くなると、同端子台ユニット１Ａの寿命期待時間は２倍増えることになる。例えば周囲温度が４０℃の一定とし、図４（ｂ）に示すように端子台ユニット１Ａの負荷率が高くなると、寿命期待時間は短くなり、負荷率が低くなると、寿命期待時間も長くなる。
【００５３】
端子台ユニット１Ａの負荷率及び周囲温度は端子台ユニット１Ａの実際の交換時期（電源寿命時間）を予測する上で大きな目安となる。そこで、本実施の形態においては端子台ユニット１Ａの周囲温度変化と、端子台ユニット１Ａの周囲温度及び負荷率に対応した期待寿命時間（稼働時間）とに着目し、周囲温度センサ部３１及び周囲温度判定部５６、稼働時間計測部５７及び積算稼働時間判定部５８を設けた。
【００５４】
積算稼働時間判定部５８は、現在の積算稼働時間が交換時期に相当する第１積算稼働時間を超えたか否かを判定するが、第１積算稼働時間は、図４（ｂ）に示す負荷率及び周囲温度に対応した寿命期待時間を算出し、この算出した寿命期待時間に基づき、自動設定若しくはユーザ設定するものである。
【００５５】
また、通報制御部６０は、積算稼働時間判定部５８にて現在の積算稼働時間が交換時期に相当する第１積算稼働時間を超えたと判定されると、例えば交換時期到来の通報信号を通報出力すべく、通報部３４を駆動制御するものである。同様に表示制御部６１は、交換時期到来を表示出力すべく、表示部３３を表示制御するものである。
【００５６】
さらに、通報制御部６０は、周囲温度判定部５６にて現在の周囲温度が第１周囲温度を超えたと判定されると、周囲温度が異常であると判断し、周囲温度異常の通報信号を通報出力すべく、通報部３４を駆動制御するものである。同様に表示制御部６１は、周囲温度異常を表示出力すべく、表示部３３を表示制御するものである。
【００５７】
尚、本願請求項記載の電源装置は直流電源装置ＰＳ、電源供給端子は出力端子Ａ１，Ｂ１〜Ａｎ，Ｂｎ、電圧検出手段は電圧検出部４３、スイッチ手段はスイッチ部４１、制御手段は制御部３６、記憶手段は記憶部３２、第１電圧値判定手段は第１電圧値判定部５３、第２電圧値判定手段は第２電圧値判定部５４、通報出力手段は通報制御部６０及び通報部３４、スイッチ制御手段はスイッチ制御部５９、積算稼働時間監視手段は稼働時間計測部５７、積算稼働時間判定手段は積算稼働時間判定部５８、周囲温度検出手段は周囲温度センサ部３１、周囲温度判定手段は周囲温度判定部５６、設定変更手段は設定部３５に相当するものである。
【００５８】
次に第１の実施の形態を示す電源分配システム２０の動作について説明する。図５は電流・電圧用異常監視処理に関わる端末台制御回路３０内部の制御部３６の処理動作を示すフロー図である。
【００５９】
図５に示す電流・電圧用異常監視処理は、ＣＨブロックＸ（Ｘ１〜Ｘ３）単位で現在の電流値及び電圧値を監視し、この監視結果に基づき、例えば過電流発生、過電圧発生や不足電圧発生等の異常を通報出力し、場合に応じて入力端子Ｉ１，Ｉ２及び出力端子Ａ１，Ｂ１間の接続を切断するものである。
【００６０】
図５において制御部３６は、例えばＣＨブロックＸ１内の電流検出部４２及び電圧検出部４３を通じて入力端子Ｉ１，Ｉ２及び出力端子Ａ１，Ｂ１間のＣＨブロックＸ１の現在の電流値及び電圧値を検出すると（ステップＳ１１）、表示制御部６１を通じて現在の電流値及び電圧値を表示部３３にリアルタイム表示する（ステップＳ１２）。尚、端子台ユニット１Ａのユーザは、表示部３３に表示中の電流値及び電圧値を見ることでＣＨブロックＸ１の現在の運転状況を確認することができる。
【００６１】
制御部３６は、第１電流値判定部５１にてＣＨブロックＸ１の現在の電流値が第１電流値を超えたか否かを判定する（ステップＳ１３）。
【００６２】
制御部３６は、第１電流値判定部５１にて現在の電流値が第１電流値を超えたと判定されると、入力端子Ｉ１，Ｉ２及び出力端子Ａ１，Ｂ１間に過電流が発生したものと判断し、通報制御部６０を通じて過電流発生の通報信号を通報出力すべく、通報部３４を駆動制御する（ステップＳ１４）。尚、端子台ユニット１Ａのユーザは、通報信号の通報出力に基づき、ＣＨブロックＸ１での過電流の発生を認識することができる。
【００６３】
さらに、制御部３６は、過電流発生を通報した後、第２電流値判定部５２にてＣＨブロックＸ１の現在の電流値が第２電流値を超えたか否かを判定する（ステップＳ１５）。
【００６４】
制御部３６は、第２電流値判定部５２にて現在の電流値が第２電流値を超えたと判定されると、入力端子Ｉ１，Ｉ２及び出力端子Ａ１，Ｂ１間の接続を切断すべく、スイッチ部４１を駆動制御することで（ステップＳ１６）、この処理動作を終了する。尚、スイッチ部４１は、スイッチ素子４１Ａを駆動制御することで、入力端子Ｉ１，Ｉ２及び出力端子Ａ１，Ｂ１間の接続を切断し、ＣＨブロックＸ１の過電流から負荷Ｌ１を保護することができる。
【００６５】
また、制御部３６は、ステップＳ１５にて現在の電流値が第２電流値を超えたのでなければ、ＣＨブロックＸ１の過電流発生の通報出力を継続したまま、この処理動作を終了する。
【００６６】
また、制御部３６は、ステップＳ１３にて現在の電流値が第１電流値を超えたのでなければ、第１電圧値判定部５３にてＣＨブロックＸ１の現在の電圧値が第１電圧値を超えたか否かを判定する（ステップＳ１７）。
【００６７】
制御部３６は、現在の電圧値が第１電圧値を超えたと判定されると、入力端子Ｉ１，Ｉ２及び出力端子Ａ１，Ｂ１間で過電圧が発生したものと判断し、通報制御部６０を通じてＣＨブロックＸ１での過電圧発生の通報信号を通報出力すべく、通報部３４を駆動制御する（ステップＳ１８）。尚、端子台ユニット１Ａのユーザは、通報信号の通報出力に基づき、ＣＨブロックＸ１での過電圧の発生を認識することができる。
【００６８】
制御部３６は、ＣＨブロックＸ１での過電圧発生を通報した後、第２電圧値判定部５４にてＣＨブロックＸ１の現在の電圧値が第２電圧値を超えたか否かを判定する（ステップＳ１９）。
【００６９】
制御部３６は、現在の電圧値が第２電圧値を超えたと判定されると、入力端子Ｉ１，Ｉ２及び出力端子Ａ１，Ｂ１間の接続を切断すべく、ステップＳ１６に移行する。尚、スイッチ部４１は、スイッチ素子４１Ａを駆動制御することで、入力端子Ｉ１，Ｉ２及び出力端子Ａ１，Ｂ１間の接続を切断し、ＣＨブロックＸ１の過電圧から負荷Ｌ１を保護することができる。
【００７０】
また、制御部３６は、ステップＳ１９にて現在の電圧値が第２電圧値を超えたのでなければ、過電圧発生の通報を継続したまま、この処理動作を終了する。
【００７１】
また、制御部３６は、ステップＳ１７にて現在の電圧値が第１電圧値を超えたのでなければ、不足電圧値判定部５５にてＣＨブロックＸ１の現在の電圧値が不足電圧値未満であるか否かを判定する（ステップＳ２０）。
【００７２】
制御部３６は、現在の電圧値が不足電圧値未満であると判定されると、入力端子Ｉ１，Ｉ２及び出力端子Ａ１，Ｂ１間の不足電圧が発生したものと判断し、通報制御部６０を通じて不足電圧発生の通報信号を通報出力すべく、通報部３４を駆動制御することで（ステップＳ２１）、この処理動作を終了する。尚、端子台ユニット１Ａのユーザは、通報信号の通報出力に基づき、不足電圧の発生を認識することができる。
【００７３】
制御部３６は、現在の電圧値が不足電圧値未満でないと判定されると、ＣＨブロックＸ１内の入力端子Ｉ１，Ｉ２及び出力端子Ａ１，Ｂ１間が正常運転中であると判断し、この処理動作を終了する。
【００７４】
図５に示す電流・電圧用異常監視処理によれば、ＣＨブロックＸ（Ｘ１〜Ｘ３）単位で実行し、現在の電流値が第１電流値を超えたと判定されると、過電流の発生を通報出力すると共に、現在の電圧値が第２電圧値を超えたと判定されると、過電圧の発生を通報出力すると共に、現在の電圧値が不足電圧値未満であると判定されると、不足電圧の発生を通報出力するようにしたので、端子台ユニット１Ａのユーザは、通報出力に基づき、ＣＨブロック単位で、例えば過電流発生、過電圧発生及び不足電圧の発生等を認識することができる。
【００７５】
また、電流・電圧用異常監視処理によれば、現在の電流値が第２電流値を超えたと判定されると、入力端子Ｉ１，Ｉ２及び出力端子Ａ１，Ｂ１間の接続を切断すべく、スイッチ部４１を駆動制御すると共に、現在の電圧値が第２電圧値を超えたと判定されると、入力端子Ｉ１，Ｉ２及び出力端子Ａ１，Ｂ１間の接続を切断すべく、スイッチ部４１を駆動制御するようにしたので、例えば過電流や過電圧等の異常状況から負荷Ｌ１を保護することができる。
【００７６】
図６は稼働時間・周囲温度監視処理に関わる端子台制御回路３０内部の制御部３６の処理動作を示すフロー図である。
【００７７】
図６に示す稼働時間・周囲温度監視処理は、ＣＨブロックＸ（Ｘ１〜Ｘｎ）単位ではなく、端子台ユニット１Ａ単位で積算稼働時間及び周囲温度を監視し、この監視結果に基づき、例えば交換時期の到来や周囲温度の異常等を通報出力する処理である。
【００７８】
図６において制御部３６は、積算稼働時間計測部５７を通じて現在の積算稼働時間を検出すると（ステップＳ３１）、積算稼働時間判定部５８にて現在の積算稼働時間が第１積算稼働時間を超えたか否かを判定する（ステップＳ３２）。
【００７９】
制御部３６は、現在の積算稼働時間が第１積算稼働時間を超えたと判定されると、端子台ユニット１Ａの交換時期であると判断し、通報制御部６０を通じて交換時期の通報信号を通報出力すべく、通報部３４を駆動制御することで（ステップＳ３３）、この処理動作を終了する。尚、端子台ユニット１Ａのユーザは、通報信号の通報出力に基づき、端子台ユニット１Ａの交換時期到来を認識することができる。
【００８０】
制御部３６は、ステップＳ３２にて現在の積算稼働時間が第１積算稼働時間を超えていないと判定されると、周囲温度センサ部３１を通じて現在の端子台ユニット１Ａの周囲温度を検出し（ステップＳ３４）、周囲温度判定部５６にて現在の周囲温度が第１周囲温度を超えたか否かを判定する（ステップＳ３５）。
【００８１】
制御部３６は、現在の周囲温度が第１周囲温度を超えたと判定されると、端子台ユニット１Ａの周囲温度が異常であると判断し、通報制御部６０を通じて周囲温度異常の通報信号を通報出力すべく、通報部３４を駆動制御することで（ステップＳ３６）、この処理動作を終了する。尚、端子台ユニット１Ａのユーザは、通報信号の通報出力に基づき、端子台ユニット１Ａの周囲温度が異常であることを認識することができる。
【００８２】
制御部３６は、現在の周囲温度が第１周囲温度を超えたのでなければ、端子台ユニット１Ａは正常運転中であると判断し、この処理動作を終了する。
【００８３】
図６に示す稼働時間・周囲温度監視処理によれば、端子台ユニット１Ａの積算稼働時間を監視し、現在の積算稼働時間が第１積算稼働時間を超えたと判定されると、端子台ユニット１Ａの交換時期が到来したことを通報出力すると共に、端子台ユニット１Ａの周囲温度を監視し、現在の周囲温度が第１周囲温度を超えたと判定されると、端子台ユニット１Ａの周囲温度異常を通報出力するようにしたので、端子台ユニット１Ａのユーザは、通報出力に基づき、端子台ユニット１Ａの交換時期及び周囲温度の異常を認識することができる。
【００８４】
第１の実施の形態によれば、ＣＨブロックＸ（Ｘ１〜Ｘｎ）単位で実行し、現在の電流値が第１電流値を超えたと判定されると、過電流の発生を通報出力すると共に、現在の電圧値が第２電圧値を超えたと判定されると、過電圧の発生を通報出力すると共に、現在の電圧値が不足電圧値未満であると判定されると、不足電圧の発生を通報出力するようにしたので、端子台ユニット１Ａのユーザは、通報出力に基づき、例えば過電流発生、過電圧発生及び不足電圧の発生等を認識することができる。
【００８５】
また、第１の実施の形態によれば、現在の電流値が第２電流値を超えたと判定されると、入力端子Ｉ１，Ｉ２及び出力端子Ａ，Ｂ（Ａ１，Ｂ１〜Ａｎ，Ｂｎ）間の接続を切断すべく、スイッチ部４１を駆動制御すると共に、現在の電圧値が第２電圧値を超えたと判定されると、入力端子Ｉ１，Ｉ２及び出力端子Ａ，Ｂ（Ａ１，Ｂ１〜Ａｎ，Ｂｎ）間の接続を切断すべく、スイッチ部４１を駆動制御するようにしたので、例えば過電流や過電圧等の異常から負荷Ｌ１〜Ｌｎを保護すると共に、その安全性を確保することができる。
【００８６】
また、第１の実施の形態によれば、端子台ユニット１Ａの積算稼働時間を監視し、現在の積算稼働時間が第１積算稼働時間を超えたと判定されると、端子台ユニット１Ａの交換時期が到来したことを通報出力すると共に、端子台ユニット１Ａの周囲温度を監視し、現在の周囲温度が第１周囲温度を超えたと判定されると、端子台ユニット１Ａの周囲温度異常を通報出力するようにしたので、端子台ユニット１Ａのユーザは、通報出力に基づき、端子台ユニット１Ａの交換時期及び周囲温度の異常を認識することができる。
【００８７】
尚、上記第１の実施の形態においては、現在の電流値が第１電流値や第２電流値を超えたか否かを判定するステップＳ１３及びステップＳ１５の判断処理（現在の電圧値が第１電圧値及び第２電圧値を超えたか否かを判定するステップＳ１７及びステップＳ１９の判断処理）があるが、電流値（電圧値）は瞬間的に乱高下する場合も考えられるため、同判断処理を現在の電流値（電圧値）が第１電流値（第１電圧値）や第２電流値（第２電圧値）を所定時間以上継続して超えたと判定された場合にのみ、現在の電流値（電圧値）を第１電流値（第１電圧値）や第２電流値（第２電圧値）を超えたものと判断するようにしても良く、この場合、電流値（電圧値）が乱高下して瞬間的に第１電流値（第１電圧値）若しくは第２電流値（第２電圧値）を超えたことで過電流（過電圧）と判断してしまうような誤動作を確実に防止することで信頼性を損なうことなく安定した電力供給を確保することができる。
【００８８】
また、上記第１の実施の形態においては、ＣＨブロックＸ１のスイッチ部４１内のスイッチング素子４１Ａを入力端子Ｉ１及び出力端子Ａ１間のマイナス側ライン、及び入力端子Ｉ２及び出力端子Ｂ１間のプラス側ライン両方に夫々配置するようにしたが、マイナス側ライン又はプラス側ラインのどちらか一方にのみスイッチング素子４１Ａを配置するようにしても良く、この場合、スイッチング素子４１Ａの数を減らしながら、同様の効果が得られることはいうまでもない。
【００８９】
また、上記第１の実施の形態においては、端子台ユニット１Ａの周囲温度が第１周囲湿度を超えたと判定されると、周囲温度の異常を通報出力するようにしたが、同通報出力に基づき、例えば端子台ユニット１Ａの周囲温度を下げる冷却ファーン部を駆動制御するようにしても良く、この場合は自動的に端子台ユニット１Ａの周囲温度を下げることはできる。
【００９０】
また、上記第１の実施の形態においては、ＣＨブロックＸ（Ｘ１〜Ｘｎ）単位で現在の電流値及び電圧値を表示部３３にリアルタイムに表示するようにしたが、例えば所定時間単位の電流平均値、ピーク電流値や低電流値を表示部３３に表示するようにしても良く、例えば電流平均値を表示した場合、電流変化による負荷Ｌ１〜Ｌｎの異常をユーザ側で予測することができ、また、ピーク電流値を表示した場合、異常時の原因追求に役立ち、また、低電流値を表示した場合、例えば断線の予測が可能となる。
【００９１】
また、上記第１の実施の形態においては、単一の直流電源装置ＰＳと単一の端子台ユニット１Ａとを直列に接続する電源分配システム２０を例に挙げて説明したが、例えば単一の直流電源装置ＰＳと複数の端子台ユニット１Ａを並列に接続し、直流電源装置ＰＳから各端子台ユニットに電力を供給する電源分配システムであっても同様の効果が得られることは言うまでもない。
【００９２】
また、上記第１の実施の形態においては、現在の電流値が第２電流値を超えたと判定されると、又は現在の電圧値が第２電圧値を超えたと判定されると、入力端子Ｉ１，Ｉ２及び出力端子Ａ，Ｂ（Ａ１，Ｂ１〜Ａｎ，Ｂｎ）の接続を切断すべく、スイッチ部４１を駆動制御するようにしたが、例えば設定部３５からの切断操作を検出すると、入力端子Ｉ１，Ｉ２及び出力端子Ａ，Ｂ（Ａ１，Ｂ１〜Ａｎ，Ｂｎ）間の接続を切断すべく、スイッチ部４１を駆動制御するようにしても良く、この場合、端子台ユニット１Ａのユーザの操作で入力端子Ｉ１，Ｉ２及び出力端子Ａ，Ｂ（Ａ１，Ｂ１〜Ａｎ，Ｂｎ）間の接続を切断することができる。
【００９３】
また、上記第１の実施の形態においては、端子台ユニット１ＡはＣＨブロックＸ単位で単一の負荷Ｌに接続して同負荷Ｌに対して直流電源装置ＰＳからの電力を分岐出力するようにしたが、例えば単一の負荷Ｌ１に対して複数のＣＨブロックの出力端子、例えばＣＨブロックＸ１の出力端子Ａ１，Ｂ１及びＣＨブロックＸ２の出力端子Ａ２，Ｂ２と接続して同負荷Ｌ１に対してＣＨブロックＸ１及びＸ２からの電力を供給するようにしても同様の効果が得られることは言うまでもない。
【００９４】
また、上記第１の実施の形態においては、ブロックＸ単位で入力端子Ｉ１，Ｉ２及び出力端子Ａ１，Ｂ１（Ａ２，Ｂ２〜Ａｎ，Ｂｎ）間にスイッチ部４１を配置し、制御部３６は、現在の電流値及び電圧値の監視結果に基づき、スイッチ制御部５９を通じてスイッチ部４１を駆動制御することで、入力端子Ｉ１，Ｉ２及び出力端子Ａ１，Ｂ１（Ａ２，Ｂ２〜Ａｎ，Ｂｎ）間の接続を切断するようにしたが、何等かの要因で制御部３６が故障してしまった場合、入力端子Ｉ１，Ｉ２及び出力端子Ａ１，Ｂ１（Ａ２，Ｂ２〜Ａｎ，Ｂｎ）間の接続を切断することができないと言った事態も考えられる。
【００９５】
（実施の形態２）
そこで、このような事態を対処すべく、第２の実施の形態を示す電源分配システム２０Ａについて説明する。尚、第１の実施の形態を示す電源分配システム２０と同一の構成には同一符号を付すことで、その重複する構成及び動作の説明については省略する。
【００９６】
図７は第２の実施の形態に関わる端子台制御回路３０Ａ内部の概略構成を示すブロック図である。
【００９７】
図７に示す端子台制御回路３０Ａと図２に示す端子台制御回路３０とが異なるところは、ＣＨブロックＸ１内のスイッチ部４１の後段に配置されたサブスイッチ部８０と、このサブスイッチ部８０を駆動制御するサブ制御部９０とを備えた点にある。
【００９８】
サブスイッチ部８０は、入力端子Ｉ１，Ｉ２及び出力端子Ａ１，Ｂ１間の電圧を検出するサブ電圧検出部８１と、入力端子Ｉ１，Ｉ２及び出力端子Ａ１，Ｂ１間の接続を切断するサブスイッチ素子８２及びヒューズ８３とを有している。
【００９９】
サブ制御部９０は、制御部３６から独立し、サブスイッチ部８０を駆動制御するものであって、サブ電流電圧部８１にて入力端子Ｉ１，Ｉ２及び出力端子Ａ１，Ｂ１間の現在の電圧値を検出すると、現在の電圧値がサブ記憶部９１に記憶中の第３電圧値を超えたか否かを判定し、現在の電圧値が第３電圧値を超えたと判定されると、入力端子Ｉ１，Ｉ２及び出力端子Ａ１，Ｂ１間の接続を切断すべく、サブスイッチ部８０内のサブスイッチ素子８２を駆動制御するものである。尚、サブ記憶部９１に記憶中の第３電圧値は、前述した第２電圧値以上にすることが望ましい。
【０１００】
尚、本願請求項１０記載のサブスイッチ手段はサブスイッチ部８０、サブ記憶手段はサブ記憶部９１、第３電圧値判定手段及びサブ制御手段はサブ制御部９０に相当するものである。
【０１０１】
制御部３６が正常に動作中の場合、入力端子Ｉ１，Ｉ２及び出力端子Ａ１，Ｂ１間の現在の電圧値（電流値）が第２電圧値（第２電流値）を超えると、入力端子Ｉ１，Ｉ２及び出力端子Ａ１，Ｂ１間の接続を切断すべく、スイッチ部４１のスイッチ素子４１Ａを駆動制御することになる。つまり、制御部３６が正常に動作中の場合、制御部３６及びサブ制御部８０双方が独立して現在の電圧値の判断処理を実行するものである。
【０１０２】
従って、サブ制御部９０は、制御部３６が何等かの原因で故障したとしても、入力端子Ｉ１，Ｉ２及び出力端子Ａ１，Ｂ１間の現在の電圧値が第３電圧値を超えたか否かを判定し、現在の電圧値が第３電圧値を超えた場合、入力端子Ｉ１，Ｉ２及び出力端子Ａ１，Ｂ１間の接続を切断すべく、サブスイッチ部８０内のサブスイッチ素子８２を駆動制御することになる。
【０１０３】
また、制御部３６及びサブ制御部９０が故障したとしても、異常な出力電流が流れると、サブスイッチ素子８２後段のヒューズにて入力端子Ｉ１，Ｉ２及び出力端子Ａ１，Ｂ１間の接続を切断するものである。
【０１０４】
第２実施の形態によれば、制御部３６から独立してサブ制御部９０にて現在の電圧値が第３電圧値を超えた場合、入力端子Ｉ１，Ｉ２及び出力端子Ａ１，Ｂ１間の接続を切断すべく、サブスイッチ部８０内のサブスイッチ素子８２を駆動制御するようにしたので、制御部３６が故障したとしても、異常な電圧がかからないように、安全かつ確実に過電圧から負荷Ｌを保護することができる。
【０１０５】
第２の実施の形態によれば、サブスイッチ素子８２の後段にヒューズ８３を配置したので、制御部３６及びサブ制御部９０を故障したとしても、異常な電圧がかかると、ヒューズ８３が切断されるため、異常な過電圧から負荷Ｌを保護することができる。
【０１０６】
尚、上記第２の実施の形態においては、現在の電圧値が第３電圧値を超えたと判定されると、入力端子Ｉ１，Ｉ２及び出力端子Ａ１，Ｂ１間の接続を切断すべく、サブスイッチ素子８２を駆動制御するようにしたが、電圧値は瞬間的に乱高下する場合も考えられるため、現在の電圧値が第３電圧値を所定時間以上継続して超えたと判定された場合にのみ、現在の電圧値が第３電圧値を超えたものと判断するようにしても良く、この場合、例えば電圧値が乱高下して瞬間的に第３電圧値を超えたことでサブスイッチ素子８２を駆動制御してしまうような誤動作を確実に防止することで信頼性を損なうことなく安定した電力供給を確保することができる。
【０１０７】
上記第２の実施の形態においては、電圧値を監視対象とし、現在の電圧値が第３電圧値を超えたと判定されると、入力端子Ｉ１，Ｉ２及び出力端子Ａ１，Ｂ１間の接続を切断すべく、サブスイッチ素子８２を駆動制御するようにしたが、電流値を監視対象とし、現在の電流値が第２電流値以上の第３電流値を超えたか否かを判定し、現在の電流値が第３電流値を超えたと判定されると、入力端子Ｉ１，Ｉ２及び出力端子Ａ１，Ｂ１間の接続を切断すべく、サブスイッチ素子８２を駆動制御するようにしても良く、この場合、制御部３６が故障したとしても、異常な出力電流から負荷Ｌ１を保護することができる。
【０１０８】
また、上記第１の実施の形態及び第２の実施の形態においては、スイッチ素子４１Ａ及びサブスイッチ素子８２としてＭＯＳＦＥＴを例に挙げて説明したが、ＭＯＳＦＥＴのコストを考えると、許容電流には制限があるため、ＣＨブロックＸと接続する単一の負荷Ｌに供給する電流容量にも制限が出てくる。そこで、複数のＣＨブロックＸ経由で単一の負荷Ｌに電流を供給できるようにしても良いことは言うまでもない。
【０１０９】
また、上記第１の実施の形態及び第２の実施の形態においては、図４（ｂ）に示す負荷率及び周囲温度に対応した寿命期待時間を算出し、この算出した寿命期待時間に基づき、積算稼働時間判定部５８の第１積算稼働時間を自動設定若しくはユーザ設定するようにしたが、次に説明するように第１積算稼働時間を算出するようにしても良い。
【０１１０】
第１の算出方法としては、ある周期毎に端子台ユニット１Ａの平均使用温度を演算してメモリデータの更新動作を実行する。具体的にはメモリデータ更新回数（ｎ）、データ更新時の読取温度（Ｔ［ｎ］）及び前回の平均使用温度（Ｔａｖｅ［ｎ−１］）を数式１に当てはめ、現在までの平均使用温度（Ｔａｖｅ［ｎ］）を算出する。
【０１１１】
（数１）
Ｔａｖｅ［ｎ］＝Ｔａｖｅ［ｎ−１］＋（１／ｎ）＊｛Ｔ［ｎ］−Ｔａｖｅ［ｎ−１］｝（数式１）
さらにＴａｖｅ［ｎ］と周囲温度４０℃との差、初期設定時間（４０℃時の製品の期待寿命）Ｌ０及びアレニウムの法則を用いて数式２に当てはめ、交換時期の目安時間（第１積算稼働時間）Ｌ［ｎ］を算出する。
【０１１２】
（数２）
Ｌ［ｎ］＝Ｌ０＊２＾｛（４０−Ｔａｖｅ［ｎ］）／１０｝（数式２）
従って、第１の算出方法によれば、端子台ユニット１Ａの負荷変動は周囲温度変動と比較しても小さいことから、周囲温度のみを考慮して第１積算稼働時間を算出することができる。
【０１１３】
尚、第１の算出方法は、端子台ユニット１Ａの負荷電流が大きく変動しない場合を条件として説明したが、正確な第１積算稼働時間を算出するためには負荷変動も加味する必要がある。
【０１１４】
そこで、第２の算出方法としては、図８（ａ）に示すように出力電流が変動すると、この変動に応じて内部発熱量も変動することに着目し、例えば初期設定時の出力電流に対して出力電流が増加してΔＴ１の内部発熱量が発生したとすると、数式３に当てはめることで、現在の平均使用温度（Ｔａｖｅ［ｎ］）を算出することができる。
【０１１５】
（数３）
Ｔａｖｅ［ｎ］＝Ｔａｖｅ［ｎ−１］＋（１／ｎ）＊｛Ｔ［ｎ］−Ｔａｖｅ［ｎ−１］＋ΔＴ１｝（数式３）
そして、この現在の平均使用温度（Ｔａｖｅ［ｎ］）を数式２に当てはめることで、交換時期の目安時間（第１積算稼働時間）Ｌ［ｎ］を算出する。
【０１１６】
従って、第２の算出方法によれば、端子台ユニット１Ａの周囲温度変動の他に負荷変動を加味することで、正確な第１積算稼働時間を算出することができる。
【０１１７】
さらに正確に第１積算稼働時間を算出する第３の算出方法としては、端子台ユニット１Ａ内の電解コンデンサに流れるリップル電流Ｉｉも考慮し、図８（ｂ）に示すように出力電流が変動すると、この変動に応じて電解コンデンサに流れるリップル電流Ｉｉも変動することに着目し、電解コンデンサ固有の電流Ｉ０及び発熱量Ｔ０、初期設定時のリップル電流Ｉｉを数式４に当てはめることで、初期設定時のリップル電流Ｉｉによる発熱量ΔＴｉを算出する。
【０１１８】
（数４）
ΔＴｉ＝（Ｉｉ／Ｉｏ）２＊Ｔ０（数式４）
次に電解コンデンサ固有の電流Ｉ０及び発熱量Ｔ０、現在のリップル電流Ｉを数式５に当てはめることで、現在のリップル電流Ｉによる発熱量ΔＴを算出する。
【０１１９】
（数５）
ΔＴ＝（Ｉ／Ｉｏ）２＊Ｔ０（数式５）
さらに前回のリップル電流による発熱平均値ΔＴａｖｅ［ｎ−１］を数式６に当てはめることで、リップル電流による発熱平均値ΔＴａｖｅ［ｎ］を算出する。
【０１２０】
（数６）
ΔＴａｖｅ［ｎ］＝ΔＴａｖｅ［ｎ−１］＋（１／ｎ）＊｛ΔＴ［ｎ］−ΔＴａｖｅ［ｎ−１］（数式６）
そして、Ｔａｖｅ［ｎ］と周囲温度４０℃との差、初期設定時間（４０℃時の製品の期待寿命）Ｌ０、初期設定時のリップル電流による発熱量ΔＴ、リップル電流による発熱平均値ΔＴａｖｅ［ｎ］及びアレニウムの法則を用いて数式７に当てはめ、交換時期の目安時間（第１積算稼働時間）Ｌ［ｎ］を算出する。
【０１２１】
（数７）
Ｌ［ｎ］＝Ｌ０＊２＾｛（４０−Ｔａｖｅ［ｎ］）／１０｝＊２＾｛（ΔＴｉ−ΔＴａｖｅ［ｎ］）／５｝（数式７）
従って、第３の算出方法によれば、端子台ユニット１Ａの周囲温度変動及び負荷変動の他に電解コンデンサのリップル電流の変動を加味することで、第２の算出方法に比較しても、より正確な第１積算稼働時間を算出することができる。
【０１２２】
尚、上記第１乃至第３の算出方法によれば、交換時期の目安時間となる第１積算稼働時間を算出するようにしたが、この第１積算稼働時間を利用して、第１積算稼働時間から現在までの積算稼働時間を減算することで、交換時期までの残り時間を表示部３３に画面表示するようにしても良いことは言うまでもない。
【産業上の利用可能性】
【０１２３】
本発明の端子台ユニットは、電源供給端子毎に同電源供給端子経由の電源装置及び電源供給端子間の電圧を検出し、現在の電圧値に基づき、電圧情報に関わる通報信号を出力すると共に、電源装置及び電源供給端子間のスイッチ手段の接続切断動作を実行するようにしたので、例えば負荷に過電圧が発生したことを通知することができると共に、負荷に過電圧が生じたとしても、自動的に電源装置及び電源供給端子間の接続を切断することで安全性を確保することができるため、例えば工場等の様々な生産ラインに使用される端子台ユニットに有用である。
【図面の簡単な説明】
【０１２４】
【図１】本発明の端子台ユニットに関わる第１の実施の形態を示す電源分配システム内部の概略構成を示すブロック図である。
【図２】第１の実施の形態を示す電源分配システムの端子台制御回路内部の概略構成を示すブロック図である。
【図３】第１の実施の形態に関わる端子台ユニットの外観構成を示すイメージ図である。
【図４】第１の実施の形態に関わる端子台ユニットの交換時期の関係を示す説明図である。（ａ）寿命期待時間及び周囲温度の関係を示す説明図（ｂ）寿命期待時間及び負荷率の関係を示す説明図
【図５】第１の実施の形態に関わる端子台制御回路の電流・電圧用異常監視処理に関わる制御部の処理動作を示すフローチャートである。
【図６】第１の実施の形態に関わる端子台制御回路の稼働時間・周囲温度監視処理に関わる制御部の処理動作を示すフローチャートである。
【図７】第２の実施の形態に関わる端子台制御回路内部の概略構成を示すブロック図である。
【図８】第１の実施の形態及び第２の実施の形態に関わる積算稼働時間判定部の第１積算稼働時間を設定するための概念説明図である。（ａ）第２の算出方法に使用する概念説明図（ｂ）第３の算出方法に使用する概念説明図
【符号の説明】
【０１２５】
１Ａ  端子台ユニット
３１  周囲温度センサ部（周囲温度検出手段）
３２  記憶部（記憶手段）
３３  表示部（表示手段）
３４  通報部（通報出力手段）
３５  設定部（設定変更手段）
３６  制御部（制御手段）
４１  スイッチ部（スイッチ手段）
４３  電圧検出部（電圧検出手段）
５３  第１電圧値判定部（第１電圧値判定手段）
５４  第２電圧値判定部（第２電圧値判定手段）
５６  周囲温度判定部（周囲温度判定手段）
５７  稼働時間計測部（積算稼働時間監視手段）
５８  積算稼働時間判定部（積算稼働時間判定手段）
５９  スイッチ制御部（スイッチ制御手段）
６０  通報制御部（通報出力手段）
ＰＳ  直流電源装置（電源装置）
Ａ１，Ｂ１〜Ａｎ，Ｂｎ  出力端子（電源供給端子）
【図１】
2006246630.tif 000003
【図２】
2006246630.tif 000004
【図３】
2006246630.tif 000005
【図４】
2006246630.tif 000006
【図５】
2006246630.tif 000007
【図６】
2006246630.tif 000008
【図７】
2006246630.tif 000009
【図８】
2006246630.tif 000010